【手続補正書】
【提出日】平成23年3月28日(2011.3.28)
【手続補正１】
【補正対象書類名】特許請求の範囲
【補正対象項目名】全文
【補正方法】変更
【補正の内容】
【特許請求の範囲】
【請求項１】
ユーザが情報を付加することで複数の選択肢から少なくとも１つの選択肢を選択するためのシートを、読取装置が読み取って得られた読取画像を取得する取得手段と；
上記取得手段により取得された読取画像に基づき、上記シートにおいてユーザにより選択された選択肢を特定する特定手段と；
上記特定手段により特定された、ユーザにより選択された選択肢に基づく処理を実行する処理手段と；
を有し、
上記特定手段は、上記シートが読取装置により読み取られることで上記取得手段により取得された第１の読取画像と、上記読取装置による当該第１の読取画像に対応する読取りの後に当該シートが再び読取装置により読み取られることによって、上記取得手段により取得された第２の読取画像とに基づき、当該第１の読取画像に対応する読取りの後にユーザが当該シートに情報を付加することで新たに選択された選択肢を特定し、
上記処理手段は、上記特定手段により上記第１の読取画像に基づき特定される少なくとも１つの選択肢を用いずに、上記特定手段により特定された、ユーザにより新たに選択された選択肢に基づき処理を実行することを特徴とするデータ処理装置。
【請求項２】
ユーザが情報を付加することで複数の選択肢のいずれかを選択するための画像を、印刷装置にシートへ印刷させる印刷制御手段を有し、
上記取得手段は、上記印刷制御手段により印刷されたシートを読取装置が読み取って得られた読取画像を取得することを特徴とする請求項１に記載のデータ処理装置。
【請求項３】
上記印刷制御手段は、複数の選択項目のそれぞれに対して複数の選択肢を有する画像をシートへ印刷させ、
上記特定手段は、上記第１の読取画像と、上記第２の読取画像とに基づき、当該第１の読取画像に対応する読取りの後に、上記複数の選択項目のうちの少なくとも１つの選択項目に対して、ユーザにより新たに選択された選択肢を特定し、
上記処理手段は、上記少なくとも１つの選択項目に対して上記特定手段により上記第１の読取画像に基づき特定される選択肢を用いずに、上記少なくとも１つの選択項目に対して上記特定手段により特定された、ユーザにより新たに選択された選択肢に基づき処理を実行することを特徴とする請求項２に記載のデータ処理装置。
【請求項４】
上記処理手段は、上記特定手段により、上記第１の読取画像に対応する読取りの後にユーザが上記シートに情報を付加することで新たに選択された選択肢が特定された場合に、上記特定手段により上記第１の読取画像に基づき特定される選択肢に基づかずに、ユーザにより新たに選択された当該選択肢に対応する処理を実行することを特徴とする請求項１乃至３のいずれか１項に記載のデータ処理装置。
【請求項５】
上記特定手段は、上記第１の読取画像と、上記第２の読取画像とに基づき、当該第１の読取画像に対応する読取りの後にユーザにより上記シートに新たに付加された情報を特定することにより、当該特定された情報に対応する選択肢を、ユーザにより新たに選択された選択肢として特定することを特徴とする請求項１乃至４のいずれか１項に記載のデータ処理装置。
【請求項６】
上記取得手段により取得された読取画像に基づき、上記特定手段により特定された選択肢をユーザに通知する通知手段を有し、
上記通知手段は、上記第１の取得手段に基づき上記特定手段により特定された選択肢をユーザに通知し、上記取得手段は、当該通知に基づくユーザによる指示に応じて、上記第２の読取画像を取得することを特徴とする請求項１乃至５のいずれか１項に記載のデータ処理装置。
【請求項７】
上記処理手段は、上記特定手段により特定された選択肢に対応する印刷設定に従って、印刷装置に画像を印刷させることを特徴とする請求項１乃至６のいずれか１項に記載のデータ処理装置。
【請求項８】
上記処理手段は、複数の画像のうちの、上記特定手段により特定された選択肢に対応する画像を、印刷装置に印刷させることを特徴とする請求項１乃至７のいずれか１項に記載のデータ処理装置。
【請求項９】
ユーザが情報を付加することで複数の選択肢から少なくとも１つの選択肢を選択するためのシートを、読取装置が読み取って得られた読取画像を取得する取得工程と；
上記取得工程により取得された読取画像に基づき、上記シートにおいてユーザにより選択された選択肢を特定する特定工程と；
上記特定工程により特定された、ユーザにより選択された選択肢に基づく処理を実行する処理工程と；
を有し、
上記特定工程は、上記シートが読取装置により読み取られることで上記取得工程により取得された第１の読取画像と、上記読取装置による当該第１の読取画像に対応する読取りの後に当該シートが再び読取装置により読み取られることによって、上記取得工程により取得された第２の読取画像とに基づき、当該第１の読取画像に対応する読取りの後にユーザが当該シートに情報を付加することで新たに選択された選択肢を特定し、
上記処理工程は、上記特定工程により上記第１の読取画像に基づき特定される少なくとも１つの選択肢を用いずに、上記特定工程により特定された、ユーザにより新たに選択された選択肢に基づく処理を実行することを特徴とするデータ処理方法。
【手続補正２】
【補正対象書類名】明細書
【補正対象項目名】発明の名称
【補正方法】変更
【補正の内容】
【発明の名称】データ処理装置およびデータ処理方法
【手続補正３】
【補正対象書類名】明細書
【補正対象項目名】００１０
【補正方法】変更
【補正の内容】
【００１０】
本発明は、ユーザがシートを用いて複数の選択肢から少なくとも１つの選択肢を選択するときに、ユーザが誤って選択してしまった選択肢を簡単に修正することができるデータ処理装置およびデータ処理方法を提供することを目的とする。
【手続補正４】
【補正対象書類名】明細書
【補正対象項目名】００１１
【補正方法】変更
【補正の内容】
【００１１】
本発明のデータ処理装置は、ユーザが情報を付加することで複数の選択肢から少なくとも１つの選択肢を選択するためのシートを、読取装置が読み取って得られた読取画像を取得する取得手段と、上記取得手段により取得された読取画像に基づき、上記シートにおいてユーザにより選択された選択肢を特定する特定手段と、上記特定手段により特定された、ユーザにより選択された選択肢に基づく処理を実行する処理手段とを有し、上記特定手段は、上記シートが読取装置により読み取られることで上記取得手段により取得された第１の読取画像と、上記読取装置による当該第１の読取画像に対応する読取りの後に当該シートが再び読取装置により読み取られることによって、上記取得手段により取得された第２の読取画像とに基づき、当該第１の読取画像に対応する読取りの後にユーザが当該シートに情報を付加することで新たに選択された選択肢を特定し、上記処理手段は、上記特定手段により上記第１の読取画像に基づき特定される少なくとも１つの選択肢を用いずに、上記特定手段により特定された、ユーザにより新たに選択された選択肢に基づき処理を実行することを特徴とする。
【手続補正５】
【補正対象書類名】明細書
【補正対象項目名】００１２
【補正方法】変更
【補正の内容】
【００１２】
本発明によれば、ユーザがシートを用いて複数の選択肢から少なくとも１つの選択肢を選択するときに、ユーザが誤って選択してしまった選択肢を簡単に修正することができる。
【手続補正６】
【補正対象書類名】明細書
【補正対象項目名】００１３
【補正方法】削除
【補正の内容】